(57)【特許請求の範囲】
【請求項１】
間仕切壁内に配設体を設置するため、前記間仕切壁を構築する下地材に設置される配設体固定具であって、
前記下地材に取り付けられる取付部と、
前記取付部から矩形板状に延設されるとともに表面に前記配設体が固定される固定面を有する固定部と、を備え、
前記固定部における幅方向の両側縁部には、前記固定部を補強すべく前記固定部の裏面に向かって折り曲げ形成された補強片がそれぞれ設けられ、
前記固定部から前記補強片に跨る折曲部には、前記固定部の延設方向に沿った長さを調整する際の前記固定部の折り曲げ又は切断を補助するためのスリットが、前記補強片の先端縁を残すように形成されていることを特徴とする配設体固定具。
【請求項２】
前記両側縁部において前記スリットが前記固定部の延設方向と直交する直線上に形成されており、前記固定部の延設方向と直交する方向に沿って前記スリットと同一直線上に位置する前記補強片の先端縁を切断することで、前記スリットの同一直線上には前記補強片が存在せずに前記固定部のみが残されることを特徴とする請求項１に記載の配設体固定具。
【請求項３】
前記両側縁部において前記スリットが前記固定部の延設方向と直交する直線上に形成されており、前記固定部には、該固定部の延設方向と直交する方向に沿って前記スリットと同一直線上に位置し、折り曲げ又は切断による前記固定部の延設方向に沿った長さを調整する際に用いられる長さ調整部が設けられていることを特徴とする請求項１又は請求項２に記載の配設体固定具。
【請求項４】
前記補強片は、前記固定部に対して直交する方向に延びる延在部と、前記延在部に対して直交するように前記固定部の幅方向中央へ向かって延びる突片とからなり、
前記スリットは、前記折曲部たる前記延在部に形成されていることを特徴とする請求項１〜請求項３のいずれか一項に記載の配設体固定具。
【請求項５】
前記固定部と前記突片との間には、他の配設体固定具の固定部がスライド可能に挿入可能であることを特徴とする請求項４に記載の配設体固定具。
【発明の詳細な説明】
【技術分野】
【０００１】
本発明は、間仕切壁内に配設体を設置するため、間仕切壁を構築する下地材に設置される配設体固定具に関する。
【背景技術】
【０００２】
一般に、軽量間仕切壁（間仕切壁）は、複数の軽量型鋼（下地材）が所定間隔をおいて立設されるとともに、それら軽量型鋼を前後から挟むように壁材が設けられることで形成されるものである。この軽量間仕切壁内において、軽量型鋼から壁材の壁面に沿って延びる方向に離間した位置に配線ボックス（配設体）を設置するには、軽量型鋼に取り付けられるボックス固定具（配設体固定具）が用いられ、このボックス固定具としては、例えば特許文献１に開示のものが挙げられる。
【０００３】
特許文献１のボックス固定具は、軽量型鋼の側面に取り付けられる取付部と、取付部から矩形板状に延設されるとともに配線ボックスが固定される固定面を有する固定片（固定部）とを備えている。また、特許文献１のボックス固定具には、固定片における幅方向の両側縁部に折返片が設けられ、この折返片は、固定面に対して交差するように固定面の裏側に向けて折り曲げて形成されている。ボックス固定具は、この折返片が設けられることで固定片が補強されている。そして、固定片は、取付部が軽量型鋼に取り付けられた状態において、軽量型鋼から壁材の壁面に沿って延びる方向に延設されるとともに、配線ボックスが、軽量型鋼から延設された固定片の固定面に対して固定される。その結果、配線ボックスが、軽量間仕切壁内において、軽量型鋼から離間した位置に設置される。
【先行技術文献】
【特許文献】
【０００４】
【特許文献１】特開２００７−２３１６９５号公報
【発明の概要】
【発明が解決しようとする課題】
【０００５】
ところで、特許文献１のボックス固定具は、固定片の延設方向に沿った長さを調整するために、固定片の幅方向に沿って切断される。しかし、固定片には、補強のための折返片が設けられており、切断又は折り曲げが非常に行い難くなっている。なお、こうした問題は、軽量間仕切壁内に配線ボックスを設置するために軽量型鋼に取り付けられるボックス固定具に限らず、例えば、軽量間仕切壁内に配設体としての配線・配管材を設置するために軽量型鋼に取り付けられる配設体固定具においても、概ね共通したものとなっている。
【０００６】
本発明は、このような従来の技術に存在する問題点に着目してなされたものであり、その目的は、固定部を補強しながらも、固定部の折り曲げ又は切断による延設方向に沿った長さ調整を容易に行うことができる配設体固定具を提供することにある。
【課題を解決するための手段】
【０００７】
上記目的を達成するために、請求項１に記載の発明は、間仕切壁内に配設体を設置するため、前記間仕切壁を構築する下地材に設置される配設体固定具であって、前記下地材に取り付けられる取付部と、前記取付部から矩形板状に延設されるとともに表面に前記配設体が固定される固定面を有する固定部と、を備え、前記固定部における幅方向の両側縁部には、前記固定部を補強すべく前記固定部の裏面に向かって折り曲げ形成された補強片がそれぞれ設けられ、前記固定部から前記補強片に跨る折曲部には、前記固定部の延設方向に沿った長さを調整する際の前記固定部の折り曲げ又は切断を補助するためのスリットが、前記補強片の先端縁を残すように形成されていることを要旨とする。
【０００８】
請求項２に記載の発明は、請求項１に記載の発明において、前記両側縁部において前記スリットが前記固定部の延設方向と直交する直線上に形成されており、前記固定部の延設方向と直交する方向に沿って前記スリットと同一直線上に位置する前記補強片の先端縁を切断することで、前記スリットの同一直線上には前記補強片が存在せずに前記固定部のみが残されることを要旨とする。
【０００９】
請求項３に記載の発明は、請求項１又は請求項２に記載の発明において、前記両側縁部において前記スリットが前記固定部の延設方向と直交する直線上に形成されており、前記固定部には、該固定部の延設方向と直交する方向に沿って前記スリットと同一直線上に位置し、折り曲げ又は切断による前記固定部の延設方向に沿った長さを調整する際に用いられる長さ調整部が設けられていることを要旨とする。
【００１０】
請求項４に記載の発明は、請求項１〜請求項３のいずれか一項に記載の発明において、前記補強片は、前記固定部に対して直交する方向に延びる延在部と、前記延在部に対して直交するように前記固定部の幅方向中央へ向かって延びる突片とからなり、前記スリットは、前記折曲部たる前記延在部に形成されていることを要旨とする。
【００１１】
請求項５に記載の発明は、請求項４に記載の発明において、前記固定部と前記突片との間には、他の配設体固定具の固定部がスライド可能に挿入可能であることを要旨とする。
【発明の効果】
【００１２】
この発明によれば、固定部を補強しながらも、固定部の折り曲げ又は切断による延設方向に沿った長さ調整を容易に行うことができる。
【図面の簡単な説明】
【００１３】
【図１】実施形態におけるボックス固定具が軽量形鋼材に取り付けられた状態を示す斜視図。
【図２】（ａ）はボックス固定具を表面から見た平面図、（ｂ）はボックス固定具の側面図、（ｃ）はボックス固定具を裏面から見た平面図。
【図３】図２（ａ）におけるＡ−Ａ線断面図。
【図４】ボックス固定具に配線ボックスを固定した状態を示す平断面図。
【図５】（ａ）は別の実施形態におけるボックス固定具及び他のボックス固定具が軽量形鋼材に取り付けられた状態を示す斜視図、（ｂ）はボックス固定具と他のボックス固定具とを嵌合させた状態を示す斜視図。
【図６】別の実施形態におけるボックス固定具を示す部分平面図。
【図７】別の実施形態における配設体固定具に配線・配管材が取り付けられた状態を示す斜視図。
【発明を実施するための形態】
【００１４】
以下、本発明を軽量間仕切壁（間仕切壁）内に配設体としての配線ボックスを設置するために下地材としての軽量形鋼材に固定されるボックス固定具に具体化した一実施形態を図１〜図４にしたがって説明する。
【００１５】
まず、軽量間仕切壁Ｗについて説明する。
図４に示すように、軽量間仕切壁Ｗは、複数（図４では一つの軽量形鋼材Ｐのみ図示）の軽量形鋼材Ｐを所定の間隔をおいて立設するとともに、一対の壁材Ｗａを軽量形鋼材Ｐを前後に挟むようにして設置することにより構築される。
【００１６】
図１及び図４に示すように、軽量形鋼材Ｐは薄鋼板からなるとともに、平断面視すると、略Ｃ字状をなすＣ型鋼である。軽量形鋼材Ｐは、その立設方向（上下方向）に延びる開口部Ｐａと、該開口部Ｐａに対向する背面板部Ｐｂと、該背面板部Ｐｂを挟む一対の側板部Ｐｃとを備えている。また、開口部Ｐａは、一対の側板部Ｐｃから延設されるとともに互いに対向する一対のリップ部Ｐｄの間に形成され、各リップ部Ｐｄと背面板部Ｐｂとは互いに対向している。なお、複数の軽量形鋼材Ｐは、各軽量形鋼材Ｐの開口部Ｐａがそれぞれ同じ方向に向けられるとともに、壁材Ｗａが設置される側の一対の側板部Ｐｃの外壁面は、それぞれ同一平面上に配置される。
【００１７】
次に、配線ボックスＢについて説明する。
図１に示すように、配線ボックスＢは、四角板状をなす底壁Ｂ１と、該底壁Ｂ１の周縁に立設された側壁Ｂ２とからなる有底四角箱状に形成されるとともに、底壁Ｂ１及び側壁Ｂ２に囲み形成されたボックス開口部Ｓが一面（前面）に向けて開口している。そして、本実施形態では、配線ボックスＢは、軽量形鋼材Ｐから壁材Ｗａの壁面に沿って延びる方向に離間した位置に、ボックス固定具３１を用いて設置される。
【００１８】
次に、ボックス固定具３１について説明する。
図２（ａ）及び（ｂ）に示すように、ボックス固定具３１は、矩形板状の取付部３２と、取付部３２の一端面３２ａにおける一側縁から一端面３２ａに対して直交する方向へ延設される固定部３３とを備えており、一枚の金属板を折り曲げることにより形成されている。なお、以下の説明において、固定部３３の延設方向とは、取付部３２からの固定部３３の延設方向を示すものとする。取付部３２には、取付部３２の長辺方向及び短辺方向それぞれに複数（本実施形態では６つ）の挿通孔３４（図３参照）が形成されている。
【００１９】
固定部３３は、その延設方向へ延びる矩形板状をなすとともに、その固定部３３の一端に取付部３２が一体形成されている。また、固定部３３の延設方向に沿う長さは、配線ボックスＢにおける幅方向（左右方向）の長さよりも長くなっている。よって、固定部３３は、その長さ内に少なくとも一つの配線ボックスＢが収まるように固定できる大きさに設定されている。
【００２０】
固定部３３において、取付部３２の一端面３２ａに連続する面（表面）は、配線ボックスＢを固定可能な固定面３３ａとなっている。また、固定部３３には、延設方向に沿うように延びる複数（本実施形態では９つ）の長孔３３ｂが形成されている。各長孔３３ｂは、固定部３３の幅方向における中央に形成されるとともに、各長孔３３ｂの長手方向が延設方向に沿うようにしてそれぞれ所定の間隔をおいて設けられている。
【００２１】
図２（ａ）に示すように、固定部３３には、複数対（本実施形態では１４対）の細長孔３８が形成されている。各一対の細長孔３８は、固定部３３の幅方向における中央を挟むように形成され、各細長孔３８は、固定部３３の幅方向に延びるとともに同一直線上に位置している。そして、複数対の細長孔３８は、固定部３３の延設方向に沿って一定の間隔をあけて設けられている。
【００２２】
図２（ａ）において拡大して示すように、固定部３３の幅方向において、各細長孔３８と各長孔３３ｂとの間には連結部Ｒ１がそれぞれ設けられている。この連結部Ｒ１により、各細長孔３８と各長孔３３ｂとは非連通になっている。細長孔３８は、固定部３３の幅方向に沿って互いに平行に延びる直線状内側面３８ａを有している。さらに、細長孔３８は、両直線状内側面３８ａ同士を繋ぐとともに固定部３３の幅方向中央へ向かって円弧を描くように膨らむ第１弧状内側面３８ｂと、両直線状内側面３８ａ同士を繋ぐとともに固定部３３の幅方向外方へ向かって円弧を描くように膨らむ第２弧状内側面３８ｃとを有している。
【００２３】
図３に示すように、固定部３３の幅方向における両側縁部には、固定部３３を補強すべく固定部３３の裏面に向かって折り曲げ形成された補強片３５がそれぞれ設けられている。各補強片３５は、固定面３３ａに対して直交するとともに固定面３３ａから離間する方向へ延びる延在部３５ａと、延在部３５ａに対して直交するように固定部３３の幅方向中央へ向かって延びる突片３５ｂとから構成されている。そして、延在部３５ａにより折曲部が形成されている。突片３５ｂは固定部３３と平行に設けられている。
【００２４】
図２（ａ）に示すように、両補強片３５は、固定部３３の延設方向において、その一端側が、取付部３２の手前に位置するとともに、他端側が、固定部３３の他端側から二番目の細長孔３８に対応する位置に形成されている。固定部３３における幅方向の両側縁部において、固定部３３の他端側から２番目以降の各細長孔３８を挟む位置それぞれにはスリット３９が形成されている。各細長孔３８と各スリット３９とは、固定部３３の幅方向において同一直線上に位置している。また、図２（ｂ）に示すように、各スリット３９は、固定部３３の幅方向の両側縁部、延在部３５ａ及び突片３５ｂに跨るように形成されている。
【００２５】
図２（ａ）において拡大して示すように、スリット３９は、固定部３３の幅方向に沿って互いに平行に延びる直線状内側面３９ａを、固定部３３の両側縁部及び突片３５ｂそれぞれに有している。また、スリット３９は、固定部３３の両側縁部において、両直線状内側面３９ａ同士を繋ぐとともに固定部３３の幅方向中央へ向かって円弧を描くように膨らむ第１弧状内側面３９ｂを有している。さらに、図２（ｃ）において拡大して示すように、スリット３９は、突片３５ｂにおいて、両直線状内側面３９ａ同士を繋ぐとともに突片３５ｂの先端縁Ｒ３側へ向かって円弧を描くように膨らむ第２弧状内側面３９ｃとを有している。各スリット３９は、突片３５ｂの先端縁Ｒ３を残すように形成されている。
【００２６】
図２（ａ）において拡大して示すように、固定部３３の幅方向において、各スリット３９と各細長孔３８との間には連結部Ｒ２がそれぞれ設けられている。この連結部Ｒ２により、各スリット３９と各細長孔３８とは非連通になっている。連結部Ｒ１，Ｒ２及び突片３５ｂの先端縁Ｒ３は、固定部３３の幅方向において同一直線上に位置している。
【００２７】
固定部３３は、補強片３５が設けられることにより固定部３３が補強されているが、同一直線上に細長孔３８及びスリット３９が位置する部位では、固定部３３の幅方向には、連結部Ｒ１，Ｒ２及び突片３５ｂの先端縁Ｒ３しか存在しない。よって、同一直線上に細長孔３８及びスリット３９が位置する部位から固定部３３を折り曲げる際には、連結部Ｒ１，Ｒ２及び突片３５ｂの先端縁Ｒ３を折り曲げるだけで、固定部３３を幅方向に沿って折り曲げ可能になっている。
【００２８】
具体的には、同一直線上に位置する細長孔３８及びスリット３９を折り曲げ基準として、この折り曲げ基準を挟む位置で固定部３３をペンチ等で掴む。そして、固定部３３における折り曲げ基準よりも他端側を、固定面３３ａから離間する方向に向けて折り曲げる。すると、その折り曲げにより、折り曲げ基準に位置する突片３５ｂの先端縁Ｒ３が折り曲げ方向に潰されるとともに、その突片３５ｂの先端縁Ｒ３が固定部３３の裏面に向かうように変形する。その結果、折り曲げ基準に位置する固定部３３と突片３５ｂとの間の間隔が狭くなり、固定部３３が折り曲げられる。この固定部３３の折り曲げにより、固定部３３の延設方向に沿った長さを調整することができる。
【００２９】
また、固定部３３は、突片３５ｂの先端縁Ｒ３をニッパー等で切断すると、固定部３３の幅方向において、切断された突片３５ｂの先端縁Ｒ３と同一直線上に位置する固定部３３には、連結部Ｒ１，Ｒ２しか存在しなくなり、補強片３５が存在しなくなる。よって、切断された突片３５ｂの先端縁Ｒ３と同一直線上に位置する固定部３３の強度が弱くなり、切断された突片３５ｂの先端縁Ｒ３と同一直線上に位置する細長孔３８及びスリット３９を折り曲げ基準として固定部３３を折り曲げる作業を複数回繰り返すことで、連結部Ｒ１，Ｒ２を切断することができる。したがって、各細長孔３８は、固定部３３の延設方向に沿った長さを調整する際に用いられる長さ調整部として機能し、各スリット３９は、固定部３３の折り曲げ又は切断を補助している。
【００３０】
次に、上記構成のボックス固定具３１を用いて、軽量形鋼材Ｐから壁材Ｗａの壁面に沿って延びる方向に離間した位置に配線ボックスＢを設置する方法について説明する。また、上記構成のボックス固定具３１が軽量形鋼材Ｐに設置される際、取付部３２には取付台座４１が組み付けられるようになっている。なお、取付台座４１は、ボックス固定具３１に既に組み付けられているものとする。
【００３１】
さて、ボックス固定具３１を軽量形鋼材Ｐに設置する際、固定部３３の他端側が障害物（図示せず）と干渉してしまう虞等がある場合は、まず、固定部３３の延設方向に沿った長さを調整する。上述したように、所望する位置の突片３５ｂの先端縁Ｒ３を切断し、切断された突片３５ｂの先端縁Ｒ３と同一直線上に位置する細長孔３８及びスリット３９を利用して固定部３３を切断する。
【００３２】
次に、図１に示すように、挿通孔３４及び取付台座４１に形成された透孔に取付ビス（図示せず）を挿入し、リップ部Ｐｄへ取付ビスを螺入する。すると、取付台座４１が軽量形鋼材Ｐに固定されるとともに、ボックス固定具３１が軽量形鋼材Ｐに設置される。このとき、ボックス固定具３１は、固定面３３ａに配線ボックスＢを固定したとき、配線ボックスＢの前面が一対の側板部Ｐｃの外壁面と同一平面上に位置するように軽量形鋼材Ｐに取り付けられる。
【００３３】
次に、配線ボックスＢを固定面３３ａに固定することで、軽量形鋼材Ｐから壁材Ｗａの壁面に沿って延びる方向に離間した位置に配線ボックスＢが設置される。そして、両側板部Ｐｃに壁材Ｗａが当接するように一対の壁材Ｗａを立設することにより、配線ボックスＢのボックス開口部Ｓが壁材Ｗａの裏面に当接した状態で軽量間仕切壁Ｗが構築される。
【００３４】
上記実施形態では以下の効果を得ることができる。
（１）固定部３３の幅方向における両側縁部には、固定部３３を補強すべく固定部３３の裏面に向かって折り曲げ形成された補強片３５がそれぞれ設けられている。そして、固定部３３から補強片３５に跨るようにスリット３９が形成されている。よって、補強片３５にスリット３９が形成されていない場合に比べて、固定部３３を容易に折り曲げ又は切断することができる。したがって、固定部３３を補強しながらも、固定部３３の折り曲げ又は切断による延設方向に沿った長さ調整を容易に行うことができる。
【００３５】
（２）固定部３３の幅方向に沿ってスリット３９と同一直線上に位置する突片３５ｂの先端縁Ｒ３を切断することで、固定部３３における同一直線上には補強片３５が存在しなくなる。よって、固定部３３の幅方向において、切断された突片３５ｂの先端縁Ｒ３と同一直線上には、固定部３３の連結部Ｒ１，Ｒ２しか存在しなくなる。このため、切断された突片３５ｂの先端縁Ｒ３と同一直線上に位置する固定部３３の強度が弱くなり、固定部３３の折り曲げ又は切断を容易に行うことができる。
【００３６】
（３）固定部３３の幅方向において、各スリット３９と同一直線上には、固定部３３の幅方向に延びる細長孔３８がそれぞれ形成されている。そして、固定部３３における同一直線上に細長孔３８及びスリット３９が位置する部位では、固定部３３の幅方向には連結部Ｒ１，Ｒ２及び突片３５ｂの先端縁Ｒ３しか存在しない。よって、固定部３３の延設方向に沿った長さを調整するために、同一直線上に位置する細長孔３８及びスリット３９から固定部３３を幅方向に沿って折り曲げる際には、連結部Ｒ１，Ｒ２及び突片３５ｂの先端縁Ｒ３を折り曲げ又は切断するだけでよく、固定部３３の幅方向に沿って固定部３３を容易に折り曲げ又は切断することができる。よって、固定部３３に各細長孔３８が形成されていない場合に比べて、固定部３３の折り曲げる部位又は切断する部位を少なくすることができ、固定部３３を幅方向に沿って折り曲げ又は切断し易くすることができる。
【００３７】
（４）一対の補強片３５は、固定部３３に対して直交するとともに固定部３３から離間する方向へ延びる延在部３５ａと、延在部３５ａに対して直交するように固定部３３の幅方向中央へ向かって延びる突片３５ｂとから構成されている。よって、延在部３５ａが、固定部３３に対して直交する方向へ延びているため、この延在部３５ａが固定部３３の幅方向に沿って曲げようとする力を妨げる。その結果、例えば、固定部３３における幅方向の両側縁部に、固定面３３ａに対して交差するように固定面３３ａの裏側に向けて折り曲げて形成された一対の折返片が設けられている場合に比べて、固定部３３の強度がさらに向上する。
【００３８】
（５）固定部３３において、各スリット３９と各細長孔３８との間には連結部Ｒ２が設けられており、各スリット３９と各細長孔３８とは非連通になっている。よって、各スリット３９と各細長孔３８との間に連結部Ｒ２が設けられておらず、各スリット３９と各細長孔３８とが互いに連通している場合に比べて、固定部３３の強度を上げることができる。
【００３９】
（６）本実施形態では、固定部３３における幅方向の両側縁部に補強片３５が設けられることで固定部３３が補強されている。よって、ボックス固定具３１が厚みの薄い金属板から形成されていても、補強片３５により固定部３３の強度を確保することができるため、ボックス固定具３１の厚みを薄くすることができる。
【００４０】
なお、上記実施形態は以下のように変更してもよい。
○  実施形態において、固定部３３と突片３５ｂとの間に、他のボックス固定具４５を嵌合させて、ボックス固定具３１と他のボックス固定具４５とを一体に組み付けて使用してもよい。例えば、図５（ａ）及び（ｂ）に示すように、他のボックス固定具４５は、矩形板状の取付部４６と、取付部４６から矩形板状に延設されるとともに表面に配線ボックスＢが固定される固定面４７ａを有する固定部４７とを備えている。そして、図５（ｂ）に示すように、他のボックス固定具４５における固定部４７の他端側を、ボックス固定具３１の他端側に重合させ、補強片３５の間（固定部３３と突片３５ｂとの間）にスライドさせながら挿入する。すると、他のボックス固定具４５における固定部４７の他端側と、ボックス固定具３１における固定部３３の他端側とが重合しながら嵌合する。これにより、ボックス固定具３１と他のボックス固定具４５とを一体に組み付けて使用することができ、隣り合う軽量形鋼材Ｐ間にボックス固定具３１及び他のボックス固定具４５を架け渡すことができる。
【００４１】
○  実施形態において、各細長孔３８が形成された位置に、各細長孔３８に代わる孔として、図６に示すような、上面視円孔状の孔５１を固定部３３の幅方向に沿って複数（図６では３つ）形成してもよい。この場合、孔５１は長さ調整部として機能する。
【００４２】
○  実施形態では、固定部３３を、固定部３３の幅方向に沿って折り曲げ易くするために、固定部３３の厚み方向へ貫通する細長孔３８を設けたが、これに限らず、例えば、固定部３３の厚み内に溝を形成して、固定部３３の厚みを薄くすることで、折り曲げ易くしてもよい。この場合、溝は長さ調整部として機能する。
【００４３】
○  例えば、隣り合う軽量形鋼材Ｐの間隔が固定部３３の延設方向に沿った長さよりも短い場合がある。このような場合、同一直線上に位置する細長孔３８及びスリット３９から固定部３３を幅方向に沿って折り曲げて、固定部３３の延設方向に沿った長さを隣り合う軽量形鋼材Ｐの間隔に調整して、ボックス固定具３１が隣り合う軽量形鋼材Ｐ間に架け渡されるようにしてもよい。
【００４４】
○  実施形態では、一対の細長孔３８が、固定部３３の延設方向に沿って一定の間隔をあけて１４個設けられていたが、これに限らず、一対の細長孔３８が、固定部３３の延設方向に沿って一定の間隔をあけて２〜１３個又は１５個以上設けられていてもよい。
【００４５】
○  実施形態において、補強片３５は、固定面３３ａに対して直交するとともに固定面３３ａから離間する方向へ延びる延在部３５ａと、延在部３５ａに対して直交するように固定部３３の幅方向中央へ向かって延びる突片３５ｂとから構成されていたが、これに限らない。例えば、補強片は、固定部３３における幅方向の両側縁部に、固定面３３ａに対して交差するように固定面３３ａの裏側に向けて折り曲げて形成されるだけであって、突片３５ｂが無くてもよい。この場合、固定部３３から補強片に跨る折曲部にはスリットが形成されている。
【００４６】
○  実施形態では、固定部３３において、各スリット３９と各細長孔３８との間に連結部Ｒ２が設けられており、各スリット３９と各細長孔３８とは非連通になっていたが、これに限らない。例えば、各スリット３９と各細長孔３８との間に連結部Ｒ２が設けられておらず、各スリット３９と各細長孔３８とが互いに連通していてもよい。
【００４７】
○  実施形態において、ボックス固定具３１は、取付部３２に組み付けられる取付台座４１を介して軽量形鋼材Ｐに取り付けられたが、これに限らず、取付部３２に取付台座４１を組み付けずに、取付部３２を軽量形鋼材Ｐに直接取り付けてもよい。
【００４８】
○  実施形態において、間仕切壁は軽量間仕切壁Ｗであったが、これに限らず、軽量間仕切壁Ｗ以外の間仕切壁であってもよい。
○  実施形態において、下地材は軽量形鋼材Ｐであったが、これに限らず、例えば、振れ止めや胴縁であってもよい。
【００４９】
○  本発明を、軽量間仕切壁Ｗ内に配線ボックスＢを設置するために軽量形鋼材Ｐに固定されるボックス固定具に適用したが、これに限らず、例えば、軽量間仕切壁Ｗ内に配設体としての配線・配管材を設置するために軽量形鋼材Ｐに固定される配設体固定具に適用してもよい。例えば、図７に示すように、配設体固定具７０を用いて、軽量形鋼材Ｐから壁材Ｗａの壁面に沿って延びる方向に離間した位置に配線・配管材７１を設置する際には、配設体固定具７０に形成されたスリット３９にバインド線７３を引っ掛けながら、バインド線７３で配線・配管材７１を巻き付けて、配線・配管材７１を配設体固定具７０に固定する。
【００５０】
次に、上記実施形態及び別例から把握できる技術的思想について以下に追記する。
（イ）前記配設体は配線ボックスであるとともに、前記間仕切壁内に前記配線ボックスを設置するために前記下地材に取り付けられるボックス固定具であることを特徴とする請求項１〜請求項５のいずれか一項に記載の配設体固定具。
【符号の説明】
【００５１】
Ｂ…配設体としての配線ボックス、Ｐ…下地材としての軽量形鋼材、Ｒ３…先端縁、Ｗ…間仕切壁としての軽量間仕切壁、３１…配設体固定具としてのボックス固定具、３２…取付部、３３…固定部、３３ａ…固定面、３５…補強片、３５ａ…折曲部としての延在部、３５ｂ…突片、３８…長さ調整部として機能する細長孔、３９…スリット、４５…他のボックス固定具、７０…配設体固定具、７１…配線・配管材。
【図１】
0005513298.tif 000002
【図２】
0005513298.tif 000003
【図３】
0005513298.tif 000004
【図４】
0005513298.tif 000005
【図５】
0005513298.tif 000006
【図６】
0005513298.tif 000007
【図７】
0005513298.tif 000008